(57)【要約】      （修正有）【課題】電動日除け装置のサンシェード手段が展開／収納される時に発生しやすい騒音を無くすことができる電動日除け装置用展開／収納速度制御装置を提供する。【解決手段】モータでサンシェード手段の展開／収納を操作する電動日除け装置におけるモータを、前記サンシェード手段が展開／収納の限界位置に到達するまでの所定時間内に、停止状態まで減速させ続けるように電動日除け装置用展開／収納速度制御装置を構成する。【選択図】図１
0003161239.tif 000002
【実用新案登録請求の範囲】
【請求項１】
モータでサンシェード手段の展開／収納を操作する電動日除け装置におけるモータを、前記サンシェード手段が展開／収納の限界位置に到達するまでの所定時間内に、停止状態まで減速させ続けることを特徴とする電動日除け装置用展開／収納速度制御装置。
【請求項２】
モータと制御スイッチでサンシェード手段の展開／収納を操作する電動日除け装置における展開／収納速度制御装置であって、
前記制御スイッチから制御信号を受信して前記サンシェード手段の展開／収納状態を解読するスイッチ判断部と、
前記スイッチ判断部が解読した状態信号を受信して記録する状態記録部と、
前記モータの回転速度を制御するモータ制御部と、
前記状態記録部に記録された状態信号を参照して、前記サンシェード手段が展開／収納の限界位置に到達するまでの所定時間内に、前記モータを停止状態まで減速させ続ける信号を前記モータ制御部に発信する中央制御部と、を備えていることを特徴とする電動日除け装置用展開／収納速度制御装置。
【請求項３】
前記中央制御部は、前記サンシェード手段が展開／収納され始めると、先に、前記モータ制御部に前記モータを所定時間内において加速させ続ける信号を発信するように構成されていることを特徴とする請求項２の電動日除け装置用展開／収納速度制御装置。
【請求項４】
前記中央制御部は、前記制御スイッチが展開／収納制御を受けた時点から、前記サンシェード手段が展開／収納の限界位置に到達した時点までの時間範囲において、最初の２５％では前記モータを加速させ続け、最後の２５％では前記モータを停止状態までの減速させ続ける制御信号を、前記モータ制御部に発信するように構成されていることを特徴とする請求項３の電動日除け装置用展開／収納速度制御装置。
【請求項５】
前記中央制御部は、前記時間範囲において、前記最初の２５％と前記最後の２５％の間では、前記モータを一定の速度で作動させ続ける制御信号を前記モータ制御部に発信するように構成されていることを特徴とする請求項４の電動日除け装置用展開／収納速度制御装置。
【請求項６】
自動車のバックウィンドウに用いられている場合、
制御状態記録部でサンシェード手段が展開されているとの記録がある状態において、前記自動車が後退ギアに切り替えられると、前記制御スイッチは、連動して作動してサンシェード手段を収納することができるように構成されていることを特徴とする請求項５の電動日除け装置用速度制御装置。
【請求項７】
環境温度測定部と過電流保護部とを更に有しており、
且つ、前記中央制御部は、前記環境温度測定部によって観測された環境の温度信号を受けてから、それに基づいて前記過電流保護部を作動し、前記モータへの作動電流を制御することが出来るように構成されていることを特徴とする請求項２ないし６のいずれか一項の電動日除け装置用速度制御装置。
【考案の詳細な説明】
【技術分野】
【０００１】
本考案は電動日除け装置用展開／収納速度制御装置に関し、特に、電動日除け装置のサンシェード手段が展開／収納される時に発生しやすい騒音を無くすことができる電動日除け装置用展開／収納速度制御装置に関する。
【背景技術】
【０００２】
従来の自動車用電動日除け装置では、モータの駆動により展開／収納できるサンシェード手段で日差しを遮蔽する構成を採用している。この構成においては、サンシェード手段が展開／収納の限界位置に到達する時に発生する衝撃音が車内で騒音になり安く、特に防音や静音効果が良い高級車では小さな音でも聞こえやすいため、その高級感を損なうおそれもある。
また、熱帯や亜熱帯地域での使用を目的として設計された自動車用電動日除け装置は、寒冷地で使用すると、作動電流が最適化されないため故障しやすい問題もある。
【考案の概要】
【考案が解決しようとする課題】
【０００３】
上記問題点に鑑みて、本考案は電動日除け装置のサンシェード手段が展開／収納される時に発生しやすい騒音を無くすことができ、防音や静音効果が重視される高級車に応用できる電動日除け装置用展開／収納速度制御装置の提供と、作動電流が環境温度に応じて最適化される電動日除け装置用展開／収納速度制御装置の提供を目的とする。
【課題を解決するための手段】
【０００４】
上記目的に達成すべく、本考案はモータでサンシェード手段の展開／収納を操作する電動日除け装置におけるモータを、前記サンシェード手段が展開／収納の限界位置に到達するまでの所定時間内に、停止状態まで減速させ続けることを特徴とする電動日除け装置用展開／収納速度制御装置を提供する。
更に詳しく説明すると、本考案の電動日除け装置用展開／収納速度制御装置は、モータと制御スイッチでサンシェード手段の展開／収納を操作する電動日除け装置における展開／収納速度制御装置であって、前記制御スイッチから制御信号を受信して前記サンシェード手段の展開／収納状態を解読するスイッチ判断部と、前記スイッチ判断部が解読した状態信号を受信して記録する状態記録部と、前記モータの回転速度を制御するモータ制御部と、前記状態記録部に記録された状態信号を参照して前記モータ制御部に、前記サンシェード手段が展開／収納の限界位置に到達するまでの所定時間内に、前記モータを停止状態まで減速させ続ける信号を発信する中央制御部と、を備えるように構成されることができる。
【０００５】
上記構成を有する電動日除け装置用展開／収納速度制御装置において、前記中央制御部は、前記サンシェード手段が展開／収納され始めると、先に、前記モータ制御部に前記モータを所定時間内において加速させ続ける信号を発信するように構成されることが好ましい。
更に、上記構成を有する電動日除け装置用展開／収納速度制御装置において、前記中央制御部は、前記制御スイッチが展開／収納制御を受けた時点から、前記サンシェード手段が展開／収納の限界位置に到達した時点までの時間範囲において、最初の２５％では前記モータを加速させ続け、最後の２５％では前記モータを停止状態までの減速させ続ける制御信号を発信するように構成されることがより好ましい。
また、前記中央制御部は、前記時間範囲において、前記最初の２５％と前記最後の２５％の間では、前記モータを一定の速度で作動させ続ける制御信号を前記モータ制御部に発信するように構成されていることが好ましい。
【０００６】
また、上記構成を有する電動日除け装置用展開／収納速度制御装置が、自動車のバックウィンドウに用いられている場合、制御状態記録部３２でサンシェード手段が展開されているとの記録がある状態において、前記自動車が後退ギアに切り替えられると、前記制御スイッチは、連動して作動してサンシェード手段を収納することができるように構成されることが好ましい。
更に、また、上記構成を有する電動日除け装置用展開／収納速度制御装置は、環境温度測定部と過電流保護部とを有しており、且つ、前記中央制御部は、前記環境温度測定部によって観測された環境の温度信号を受けてから、それに基づいて前記過電流保護部を作動し、前記モータへの作動電流を制御することが出来るように構成されていることが好ましい。
【考案の効果】
【０００７】
上記構成により、本考案の電動日除け装置用速度制御装置は、サンシェード手段が展開／収納される時に発生しやすい騒音を無くすことができ、且つ電動日除け装置の作動電流が環境温度に応じて最適化されるので、防音や静音効果が重視される高級車に特に適用し、熱帯地域から寒帯地域まで、環境温度に影響されることなく正常に利用することが可能な電動日除け装置用速度制御装置を提供できる。
【図面の簡単な説明】
【０００８】
【図１】本考案の電動日除け装置用速度制御装置の構成が示されているブロック図である。
【図２】本考案の日除け装置の速度制御装置が採用される場合と採用されない場合の比較が示されているグラフである。
【考案を実施するための形態】
【０００９】
以下は図１を参照しながら、本考案の日除け装置の速度制御装置の好ましい実施形態について説明する。
図１に示されるように、本考案の日除け装置の速度制御装置３は、モータと制御スイッチでサンシェード手段の展開／収納を操作する電動日除け装置における展開／収納速度制御装置であり、電源手段１００から電力の供給を受けるモータ１０１と、モータ１０１の作動により収納状態から展開されて日差しを遮蔽することができるサンシェード手段（図示せず）と、サンシェード手段の展開／収納を制御する展開制御スイッチ１０２及び収納制御スイッチ１０３からなる制御スイッチ組と、を備えている電動日除け装置に組み込まれており、スイッチ判断部３１と、制御状態記録部３２と、モータ制御部３４と、電流検知部３５と、中央制御部３３と、環境温度測定部３６と、過電流保護部３７と、を有するように構成されている。
【００１０】
スイッチ判断部３１は、展開制御スイッチ１０２及び収納制御スイッチ１０３から制御信号を受信してサンシェード手段の展開／収納状態を解読して、解読結果を状態記録部３２及び中央制御部３３に発信するように構成されている。
状態記録部３２は記録媒体を有するように構成され、スイッチ判断部３１が解読した状態信号を受信して、スイッチ判断部３１の解読結果を一時記録することができるように構成されている。
モータ制御部３４は、ＭＯＳＦＥＴより構成された制御回路であり、中央制御部３３からの指示に従って、変調制御でモータ１０１に供給される有効電流を調整し、モータ１０１の回転速度を制御することができるように構成されている。
【００１１】
電流検知部３５は、モータに供給される電流の大きさを検知し、検知結果としての信号を中央制御部３３に送ることができるように構成されている。
環境温度測定部３６は、電動日除け装置の起動中に常時当時の環境温度を検知し、検知定結果としての信号を中央制御部３３に送ることができるように構成されている。
過電流保護部３７は、前記モータへの作動電流を加減して制御することができるように構成されている。
【００１２】
中央制御部３３は、状態記録部３２に記録された状態信号を参照して、サンシェード手段が展開／収納され始めると、先に、モータ１０１を所定時間内において加速させ続ける信号をモータ制御部３４に発信し、そして、サンシェード手段がモータ１０１により駆動されて展開／収納の限界位置に到達するまでの所定時間内に、モータ１０１を停止状態まで減速させ続ける信号を前記モータ制御部３４に発信するように構成されている。また、前記加速または減速が行われる所定時間に関しては、制御スイッチ（展開制御スイッチ１０２及び収納制御スイッチ１０３）が展開／収納制御を受けた時点から、サンシェード手段が展開／収納の限界位置に到達した時点までの時間範囲における、最初の２５％と最後の２５％に設定することが好ましい。即ち、中央制御部３３は該時間範囲において、最初の２５％ではモータ１０１を加速させ続け、最後の２５％ではモータ１０１を停止状態まで減速させ続ける制御信号を、モータ制御部３４に発信するように構成されている。更に、前記時間範囲における、最初の２５％と最後の２５％の間の５０％の時間では、モータ１０１を一定の速度で作動させ続ける制御信号を発信するように構成されている。
【００１３】
更に、中央制御部３３は、電流検知部３５から送られてきた測定結果を監視して、過電流または異常電流が発生したと判断すると、過電流保護部３７を作動してモータ１０１を停止させることができるように構成されているので、モータ１０１及びそれに関連する他の部材の故障を防止することができる。また、中央制御部３３は、環境温度測定部３６から送られてきた環境温度の測定結果に応じて、過電流保護部３７のモータ１０１への電流に対する調整及び判断準拠を変えることができるように構成されているので、本実施例の展開／収納速度制御装置は、熱帯地域から寒帯地域まで、環境温度に影響されることなくに正常に使用することができる。
【００１４】
また、電動日除け装置が自動車のバックウィンドウに用いられている場合、制御状態記録部３２はサンシェード手段が展開されているとの記録がある状態において、前記自動車が後退ギアに切り替えられると、収納制御スイッチ１０３は、自動的に作動してサンシェード手段を収納するように構成されている。
【００１５】
図２は本考案の日除け装置の速度制御装置が採用される場合と採用されない場合の比較が示されているグラフであり、図中に示されているように、従来の日除け装置ではサンシェード手段が展開／収納の限界位置に到達する時に発生する衝撃音が発生するため、音量の急激な上昇が見られるが、本考案の速度制御装置を採用する日除け装置では音量が持続に低下していくことが明らかである。
【産業上の利用可能性】
【００１６】
上記構成により、本考案の電動日除け装置用速度制御装置は、サンシェード手段が展開／収納される時に発生しやすい騒音を無くすことができ、且つ電動日除け装置の作動電流が環境温度に応じて最適化されるので、防音や静音効果が重視される高級車に特に適用し、熱帯地域から寒帯地域まで環境温度に影響されることなく正常に利用することが可能な電動日除け装置用速度制御装置を提供できる。
【符号の説明】
【００１７】
１００  電源手段
１０１  モータ
１０２  展開制御スイッチ
１０３  収納制御スイッチ
３  速度制御装置
３１  スイッチ判断部
３２  制御状態記録部
３３  中央制御部
３４  モータ制御部
３５  電流検知部
３６  環境温度測定部
３７  過電流保護部
【図１】
0003161239.tif 000003
【図２】
0003161239.tif 000004
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
モータと制御スイッチでサンシェード手段の展開／収納を操作する電動日除け装置における展開／収納速度制御装置であって、
前記制御スイッチから制御信号を受信して前記サンシェード手段の展開／収納状態を解読するスイッチ判断部と、
前記スイッチ判断部が解読した状態信号を受信して記録する状態記録部と、
前記モータの回転速度を制御するモータ制御部と、
前記状態記録部に記録された状態信号を参照して、前記サンシェード手段が展開／収納の限界位置に到達するまでの所定時間内に、前記モータを停止状態まで減速させ続ける信号を前記モータ制御部に発信する中央制御部と、を備えていることを特徴とする電動日除け装置用展開／収納速度制御装置。
【請求項２】
前記中央制御部は、前記サンシェード手段が展開／収納され始めると、先に、前記モータ制御部に前記モータを所定時間内において加速させ続ける信号を発信するように構成されていることを特徴とする請求項１の電動日除け装置用展開／収納速度制御装置。
【請求項３】
前記中央制御部は、前記制御スイッチが展開／収納制御を受けた時点から、前記サンシェード手段が展開／収納の限界位置に到達した時点までの時間範囲において、最初の２５％では前記モータを加速させ続け、最後の２５％では前記モータを停止状態までの減速させ続ける制御信号を、前記モータ制御部に発信するように構成されていることを特徴とする請求項２の電動日除け装置用展開／収納速度制御装置。
【請求項４】
前記中央制御部は、前記時間範囲において、前記最初の２５％と前記最後の２５％の間では、前記モータを一定の速度で作動させ続ける制御信号を前記モータ制御部に発信するように構成されていることを特徴とする請求項３の電動日除け装置用展開／収納速度制御装置。
【請求項５】
環境温度測定部と過電流保護部とを更に有しており、
且つ、前記中央制御部は、前記環境温度測定部によって観測された環境の温度信号を受けてから、それに基づいて前記過電流保護部を作動し、前記モータへの作動電流を制御することが出来るように構成されていることを特徴とする請求項１ないし４のいずれか一項の電動日除け装置用展開／収納速度制御装置。